(57)【要約】【課題】扉本体と放射線源室の床面や壁面との隙間からの放射線を簡便な構成で遮蔽することができ、しかも開閉の可動性を阻害することのない放射線遮蔽扉を提供する。【解決手段】放射線遮蔽扉１０は、扉本体２２と、下面２４に設けられて先端が床面１８に接触する多数本の線状体２６とを有する。扉本体２２は４つの車輪２０により床面１８を横方向に移動可能で、放射線を遮蔽する。線状体２６は放射線遮蔽材を含み、可撓性があり、下面２４のほぼ全面に高密度に配設され、床面１８との隙間を塞いでいる。遮蔽する放射線が中性子線である場合に、線状体２６の放射線遮蔽材はポリエチレンを含むとよく、ガンマ線又はエックス線である場合には鉛を含むとよい。【選択図】図２
2018115897.tif 000002
【特許請求の範囲】
【請求項１】
床面を横方向に移動可能で、放射線を遮蔽する扉本体と、
放射線遮蔽材を含み、可撓性があり、前記扉本体から突出するように設けられて先端が前記床面又は対向する壁面に接触する複数本の線状体と、
を有することを特徴とする放射線遮蔽扉。
【請求項２】
請求項１記載の放射線遮蔽扉において、
前記線状体は、前記扉本体の下面から前記床面に向けて設けられていることを特徴とする放射線遮蔽扉。
【請求項３】
請求項１又は２記載の放射線遮蔽扉において、
前記扉本体と前記床面又は前記壁面との隙間は、見かけ上前記線状体により塞がれていることを特徴とする放射線遮蔽扉。
【請求項４】
請求項１〜３のいずれか１項に記載の放射線遮蔽扉において、
遮蔽する放射線が中性子線である場合に、前記放射線遮蔽材はポリエチレンを含むことを特徴とする放射線遮蔽扉。
【請求項５】
請求項１〜３のいずれか１項に記載の放射線遮蔽扉において、
遮蔽する放射線がガンマ線又はエックス線である場合に、前記放射線遮蔽材は鉛を含むことを特徴とする放射線遮蔽扉。
【発明の詳細な説明】
【技術分野】
【０００１】
本発明は、放射線源を保管したり取扱ったりする加速器施設、原子力施設及び医療施設等に設置される放射線遮蔽扉に関する。
【背景技術】
【０００２】
放射線源を保管したり取扱ったりする加速器施設、原子力施設及び医療施設等では、物質の透過能力が高い放射線である中性子線、ガンマ線及びエックス線等を遮蔽するために出入口に放射線遮蔽扉が設置されている。この放射線遮蔽扉は、コンクリート材などを用いてある程度の厚みを確保すれば扉自体の放射線遮蔽能力は担保されるが、床面や側壁との隙間から放射線が漏出しないように考慮する必要がある。特に、放射線遮蔽扉は下面に車輪を設けているとフラットな床面上をスムーズに移動させることができ、しかも人や機材の出入りに支障がなく好適であるが、下面と床面との間に僅かながらも隙間が生じてしまいこの部分からの放射線の漏出防止を別途考慮しなければならない。
【０００３】
扉本体と床面との隙間に補助遮蔽体板などを詰めれば放射線の遮蔽は可能となるが扉を動かすことが困難になり、また、開閉のたびに補助遮蔽体板を抜き差しするのは煩雑である。
【０００４】
特許文献１では、放射線遮蔽扉の往復動作に連動して床面に埋設された遮蔽材の断面略Ｄ字の柱状体が回転し、放射線遮蔽扉が閉じたときに床との隙間を閉塞し、開いた時には床面と同一面を形成する技術が開示されている。これによれば、遮蔽扉の開閉が容易であり、しかも放射線遮蔽扉が開いた状態において出入口の床面には凹凸がなく人の出入りや機材の搬入・搬出に好適である。
【０００５】
特許文献２では、遮蔽扉と出入口淵の壁との間をＬ字状に係合させて放射線の漏出を防止することが開示されている。
【先行技術文献】
【特許文献】
【０００６】
【特許文献１】特開２００５−６９９９６号公報
【特許文献２】特開２００７−８５８７５号公報
【発明の概要】
【発明が解決しようとする課題】
【０００７】
ところが、特許文献１記載の技術は、放射線遮蔽扉の動作と床面下に設けた遮蔽機構とを連動させるものであり機械的動作が必要であって、放射線遮蔽扉だけでなく床面にも専用機構を設ける必要がある。特許文献２では扉と床面との隙間については考慮されていない。
【０００８】
本発明は、上記の課題に鑑みてなされたものであって、扉本体と放射線源室の床面や壁面との隙間からの放射線を簡便な構成で遮蔽することができ、しかも開閉の可動性を阻害することのない放射線遮蔽扉を提供することを目的とする。
【課題を解決するための手段】
【０００９】
上述した課題を解決し、目的を達成するために、本発明にかかる放射線遮蔽扉は、床面を横方向に移動可能で、放射線を遮蔽する扉本体と、放射線遮蔽材を含み、可撓性があり、前記扉本体から突出するように設けられて先端が前記床面又は対向する壁面に接触する複数本の線状体と、を有することを特徴とする。
【００１０】
このように、複数の線状体は扉本体から突出して床面や壁面に接触しているという簡便構成で、これらの床面や壁面との隙間からの放射線を遮蔽することができ、しかも開閉の可動性を阻害することがない。
【００１１】
前記線状体は、前記扉本体の下面から前記床面に向けて設けられていると、該扉本体と床面との隙間からの放射線の遮蔽をすることができる。
【００１２】
前記扉本体と前記床面又は前記壁面との隙間は、見かけ上前記線状体により塞がれていると一層確実に放射線を遮蔽できる。
【００１３】
遮蔽する放射線が中性子線である場合に、前記放射線遮蔽材はポリエチレンを含むとよい。
【００１４】
遮蔽する放射線がガンマ線又はエックス線である場合に、前記放射線遮蔽材は鉛を含むとよい。
【発明の効果】
【００１５】
本発明にかかる放射線遮蔽扉では、複数の線状体が扉本体から突出して床面や壁面に接触しているという簡便構成で、これらの隙間からの放射線を遮蔽することができ、しかも開閉の可動性を阻害することがない。
【図面の簡単な説明】
【００１６】
【図１】図１は、本発明の実施の形態である放射線遮蔽扉が適用される放射線源室を示す平面図である。
【図２】図２は、本発明の実施の形態である放射線遮蔽扉を示す模式側面図である。
【図３】図３は、本発明の実施の形態である放射線遮蔽扉を示す模式正面図である。
【図４】図４は、本発明の実施の形態である放射線遮蔽扉による放射線遮蔽効果を示すグラフである。
【図５】図５は、本発明の実施の形態の変形例である放射線遮蔽扉を示す模式平面図である。
【発明を実施するための形態】
【００１７】
以下に、本発明にかかる放射線遮蔽扉の実施例を図面に基づいて詳細に説明する。なお、この実施例によりこの発明が限定されるものではない。
【００１８】
図１は、本発明の実施の形態である放射線遮蔽扉１０が適用される放射線源室１４を示す平面図であり、図２は、放射線遮蔽扉１０を示す模式側面図であり、図３は放射線遮蔽扉１０を示す模式正面図である。
【００１９】
図１に示すように、放射線遮蔽扉１０は放射線源１２を保管したり取扱ったりする放射線源室１４の出入口１６を開閉する扉である。放射線源室１４は加速器施設、原子力施設及び医療施設等に設けられている。放射線遮蔽扉１０は横方向（図１、図２、図５における矢印方向）に移動可能であって、出入口１６を開閉する。出入口１６の床面１８は凹凸のない平坦面であり人の出入りや機材の搬入・搬出に支障がない。
【００２０】
図２及び図３に示すように、放射線遮蔽扉１０は、４つの車輪２０により床面１８上を横移動自在に支持された扉本体２２を有する。扉本体２２は、コンクリート材等による厚い構造体であり十分な放射線遮蔽能力を備える。扉本体２２の厚み（図３における左右方向）は例えば１．５ｍ程度である。
【００２１】
また、放射線遮蔽扉１０は、扉本体２２の下面２４から下方に突出するように設けられた多数本の線状体２６を有する。線状体２６はその先端が床面１８に接しており、放射線遮蔽扉１０の開閉に際して床面１８をなでるように動く。線状体２６は放射線遮蔽材を含み可撓性（曲げ弾性含む）のある構造材であり、形態としては、例えば糸、紐、ロープ、ワイヤ、スティック等が挙げられる。線状体２６は下面２４から下方に向けて設けられており、自重で下向きになることから高強度でなくてよい。線状体２６として糸を用いると下面２４からは垂れ下げておけばよく、十分な可撓性があって床面１８に軽く接して抵抗が小さく、しかも軽量であって扉本体２２への重量負担が小さい。
【００２２】
線状体２６の放射線遮蔽材としては、中性子線を遮蔽するためには原子番号の小さい物質、例えばポリエチレンを含むと遮蔽効果が高い。また、ガンマ線又はエックス線を遮蔽するためには原子番号の大きい物質、例えば鉛を含むと遮蔽効果が高い。このような線状体２６は一本の遮蔽効果は低いが、多数本が下面２４のほぼ全面に設けられていれば、一定厚みの遮蔽体と同様の遮蔽機能を有する。
【００２３】
図２及び図３（図５も同様）においては見やすいよう模式的に線状体２６を比較的粗い間隔で示しているが、実際上は放射線を遮蔽できる程度に十分高密度に配設する。具体的には、平面視で想定されるあらゆる仮想の直線が少なくとも数本、好適には数十本あるいはそれ以上の線状体２６にぶつかるような密度及び配置で設けるとよい。したがって、図２に相当する側面視、図３に相当する正面視及びその中間である斜め方向視のいずれの方向においても下面２４と床面１８との隙間からは室内側が見えることはなく、換言すれば、この隙間は見かけ上線状体２６で塞がれている。これにより、確実に隙間からの放射線を遮蔽できる。
【００２４】
線状体２６の配設構成としてはデッキブラシ、たわし、刷毛又は人工芝などと同様の形態をとることができる。線状体２６は下面２４に直接的に稙設してもよいし、所定のベース体に稙設されたものを下面２４に固定してもよい。線状体２６は一本ずつ稙設してもよいし、複数本ずつまとめて稙設してもよい。線状体２６は所定面積ごとあるいは下面２４の全体をブロック体としての着脱式として、適宜交換可能にしてもよい。
【００２５】
車輪２０の周辺部については線状体２６を省略すると車輪２０による線状体２６の巻き込みを防止できる。さらに、車輪２０の外側面の線状体２６を省略し該車輪２０を露呈させておくとメンテナンスが容易になる。線状体２６は、例えば下面２４における車輪２０が設けられた四隅を除く全面に設けるとよい。
【００２６】
このような放射線遮蔽扉１０では、多数本の線状体２６が扉本体２２の下面２４から突出して床面１８に接触しているという簡便かつ廉価な構成で、この下面２４と床面１８との隙間からの放射線を遮蔽することができ、しかも開閉の可動性を阻害することがない。また、開閉のたびに別の遮蔽板を隙間部に抜き差しする必要もない。放射線遮蔽扉１０は開閉の動力以外に、放射線遮蔽のためのメカニカル機構や電気機構は不要である。
【００２７】
放射線遮蔽扉１０は、車輪２０を設けていることによりフラットな床面１８上をスムーズに移動させることができる。床面１８は特別な機構が不要でフラットにしておくことができ、人の出入りや機材の搬入に便利である。なお、床面１８には状況に応じてある程度の溝などが設けられていても構わず、放射線遮蔽扉１０は床面１８の形状によらず放射線を遮蔽することができる。線状体２６は、凹部に対しては入り込み、凸部に対しては適度な可撓性により乗り越えられるからである。
【００２８】
図４は、放射線遮蔽扉１０による放射線遮蔽効果を示すグラフである。具体的には以下
の条件での放射線遮蔽のシミュレーション結果を示している。すなわち、放射線遮蔽扉１０の厚みを１．５ｍ、下面２４と床面１８との隙間を３ｃｍ、一本の線状体２６は０．５ｍｍφの糸とし、その密度を５本／ｃｍ２として、下面２４の全体に配設する条件とした。また、遮蔽する放射線が中性子線である場合には線状体２６の材質はポリエチレンとし、ガンマ線である場合には鉛とした。実線は中性子線に対する遮蔽効果であり、破線はガンマ線に対する遮蔽効果であり、それぞれ０．１〜１００ＭｅＶの範囲を対数で示している。
【００２９】
中性子線については、１ＭｅＶ以下では９０％以上遮蔽でき、２〜１０ＭｅＶではエネルギーの増大とともに遮蔽割合は低下している。ガンマ線については、１ＭｅＶ以下ではほぼ１００％遮蔽でき、２〜１０ＭｅＶではほぼ８５％遮蔽できた。図４から中性子線の場合には１ＭｅＶ程度まで、ガンマ線の場合には２０ＭｅＶ程度まで相当な効果があることが理解されよう。また、これ以上のエネルギーの放射線を遮蔽する場合には線状体２６をさらに増やすとよい。
【００３０】
なお、上記の放射線遮蔽扉１０では線状体２６は下面２４に設けられているが、図５の変形例に示すように、側壁２８に設けて対向する放射線源室１４の壁面３０との隙間を塞ぐようにしてもよい。この場合も、いずれの方向からも隙間を見かけ上塞ぐように高密度に線状体２６を設けるとよい。線状体２６の先端は壁面３０に接し、該壁面３０をなでるように動き、放射線源室１４の内部からの放射線を遮蔽する。また、図示を省略するが放射線遮蔽扉１０の天面に同様の線状体２６を設けて天井（壁面）との隙間を埋めるようにしてもよい。この場合、線状体２６は必要以上に垂れ下がることがないように、可撓性とともにある程度の自立強度を備えているとよい。放射線遮蔽扉１０は、線状体２６以外にも他の放射線遮蔽手段を組み合わせて用いてもよい。
【００３１】
本発明は、上記した実施形態に限定されるものではなく、本発明の主旨を逸脱しない範囲で自由に変更できることは勿論である。
【符号の説明】
【００３２】
１０    放射線遮蔽扉
１２    放射線源
１４    放射線源室
１６    出入口
１８    床面
２０    車輪
２２    扉本体
２４    下面
２６    線状体
２８    側壁
３０    壁面
【図１】
2018115897.tif 000003
【図２】
2018115897.tif 000004
【図３】
2018115897.tif 000005
【図４】
2018115897.tif 000006
【図５】
2018115897.tif 000007